(57)【要約】【課題】  この発明は、擬似カップにカップインしたゴルフボールを回収することができるパッティング練習具において、ボールの回収及びパッティング位置へのボール戻しを効率的に行うことができるとともに、パッティング技術向上の観点からも好ましいパッティング練習具を得ることを課題とするものである。【解決手段】  この発明のパッティング練習具は、蓋箱と収納箱とに分割可能な箱体の何れか一方の箱１をターゲットボックスＡとし、他方の箱を打球用ストックケースＢとし、前記ターゲットボックスＡは、一方の箱の側壁３に開口部２を設け、前記開口部２に擬似カップとしてのターゲット片４を備え、前記打球用ストックケースＢは、他方の箱６の側壁にゴルフボール１個が通過できる幅の開口部７を設け、前記開口部７側が低くなるように底面を傾斜させて構成する。【選択図】図３
2010088600.tif 000002
【特許請求の範囲】
【請求項１】
複数のゴルフボールを収納でき、かつ蓋箱と収納箱とに分割可能な箱体の何れか一方の箱をターゲットボックスとし、他方の箱を打球用ストックケースとし、
前記ターゲットボックスは、箱の側壁に開口部が設けられ、前記開口部には擬似カップとしてのターゲット片を備え、
前記打球用ストックケースは、箱の側壁にゴルフボール１個が通過できる幅の開口部が設けられ、前記開口部側が低くなるように底面が傾斜された、
パッティング練習具。
【請求項２】
ターゲットボックスは、開口部側が高くなるように底面が傾斜した請求項１記載のパッティング練習具。
【請求項３】
ターゲットボックスの開口部の幅は、下端をゴルフホールのカップ幅（４．２５インチ）とし、上端にかけて次第に幅広に形成した請求項１又は２記載のパッティング練習具。
【請求項４】
ターゲットボックスのターゲット片は、ターゲットボックス底面に載置される中敷きに連設され、前記ターゲット片をターゲットボックス開口部から外部に向けて突出させて備えるものとした、請求項１ないし３の何れか記載のパッティング練習具。
【請求項５】
ターゲットボックスのターゲット片は、ターゲットボックス開口部に取り付けられるアタッチメントに連設され、前記ターゲット片をターゲットボックス開口部から外部に向けて突出させて備えるものとした、請求項１ないし３の何れか記載のパッティング練習具。
【請求項６】
ターゲットボックスのターゲット片は、箱側に収納可能とした請求項１ないし５の何れか記載のパッティング練習具。
【請求項７】
ターゲットボックスの開口部には、前記開口部をボールが通過したことを告知する告知手段が配設された請求項１ないし６の何れか記載のパッティング練習具。
【発明の詳細な説明】
【技術分野】
【０００１】
この発明は、ゴルフのパッティング練習具に関するものである。
【背景技術】
【０００２】
ゴルフのパッティング練習は、ボールの位置からカップまでのパッティングの距離感及び方向性を養うための練習であり、同じ立ち位置から目標となるカップに向かって反復してゴルフボールを打つことによって行うのが一般的な練習方法である。
そして、パッティング練習は複数のゴルフボールを用いて行うのが一般的であるが、練習で使用できるボール数は限られており、例えば１０個ボールを用意した場合、１０球パッティングした後にさらに練習を続けるには、打ち終えたボールをパッティング位置まで戻す必要がある。このとき、ボールをパッティング位置まで戻す方法としては、打ち終えたボールを拾ってパッティング位置まで運んだり、拾うのが面倒な場合にはパッティング位置に向かってボールを打ち返したり、転がしたりすることがよく行われている。パッティング練習において、このボールの回収作業は非常に面倒なものである。
【０００３】
かかる問題点に鑑みて、従来より、せり上がった台上にカップが形成されたマット式のパッティング練習具においては、特開２００３−１９２３８号公報に記載されたパッティング練習具のように、カップ近傍にパッティング位置方向に傾斜したガイドを設け、パッティングしたボールがこのガイドに案内されてパッティング位置に返球されるパッティング練習具が提案されている。
【特許文献１】特開２００３−１９２３８号公報
【０００４】
この発明によれば、パッティングしたボールがカップインあるいはカップをオーバーした場合、カップ近傍の傾斜ガイドに案内されてパッティング位置方向へ返球されるので、わざわざカップ近傍まで打球を回収しに行く必要はない。
しかしながら、カップ近傍が台状にせり上がっているため、実際のパッティングよりも強めに打つ必要があり、距離感を養うには適当でなく、パッティング技術向上の観点からは好ましくない。また、打ったボールがすぐに返球されてしまうので、カップインした球数と外れた球数とがどの程度の割合であるのかを把握しにくく、カップイン率を意識しながら練習することができない。さらには、返球されたボールは散らばってしまうので、次のパッティングの邪魔になるおそれもある。
【０００５】
実開平７−４３０９３号公報に記載された発明は、ゲートを擬似カップとしてパッティング目標としたパッティング練習具であるが、ゲートに袋体を取り付け、ゲートを通過したゴルフボールを袋体内に回収できるようにしてある。
【特許文献２】実開平７−４３０９３号公報
【０００６】
また、実用新案登録第３０４７６７８号公報に記載された発明は、ゴルフボールの包装用箱の一側壁を開口させてパッティング練習具として再利用可能としたものであり、この開口部を通過したゴルフボールが箱体内に回収されるようになっている。
【特許文献３】実用新案登録第３０４７６７８号公報
【０００７】
上記発明によれば、カップインしたボールがパッティング位置に自動的に返球されるものではないが、カップインしたボール数を確認できることからカップイン率を意識しながら練習することができ、また、ゲートまでの間の傾斜面が不要であるから、パッティングの距離感、方向性を養うというパッティング技術向上の観点からは好ましい。
しかしながら、回収されたボールのパッティング位置までの効率的な戻し方が考慮されておらず、プレーヤーはボールが回収された練習具をパッティング位置まで持ってきてボールを取り出し、再び練習具を適当な位置に設置しに行かなければならなかったり、あるいは、練習具の設置位置付近で回収されたボールを取り出し、パッティング位置まで手で持って行くか、打ち返したり転がしたりするなどしなければならない。そして、かかる方法でボールをパッティング位置に戻すと、ボールはパッティング位置において散乱した状態となり、パッティングの邪魔になるおそれがある。
【０００８】
また、上記発明は何れもゲートを擬似カップとしたものであるが、ゲートはゴルフボールが通過する開口面が垂直方向に設けられるものであり、ゴルフボールが通過する開口面が水平方向に設けられている実際のグリーンのカップとは、パッティング位置における見え方が異なるため、ゲート式のパッティング練習具を用いた練習においては、実際のカップの見え方をイメージしながら練習することが困難である。
【０００９】
加えて、上記発明におけるゲートの幅は、何れも実際のカップの直径と同じ大きさとされ、ゲートの両端は垂直に形成されている。実際のカップはグリーン上に形成された穴であるため、打ったゴルフボールがカップの縁に到達した際、ボールの重心がカップ内側に位置し、かつ、ボールに働く進行方向（水平方向）の力の大きさよりも落下方向（垂直方向）の力の大きさの方が大きい場合にはカップインする。しかしながら、ゲート両端が垂直に形成されていると、上記のように実際のカップを用いた場合にはカップの縁からカップインしていたはずの打球がゲートとの接触によってはじかれ、ゲートを通過しないおそれがある。
また、打つときのボール位置を規制するための配慮は為されていないので、複数のボールを連続して打つとき、ボールの位置が変化してしまう。僅かな位置の相違もない状態で練習することが好ましいが、このような要求を満たすものは存在しない。
【発明の開示】
【発明が解決しようとする課題】
【００１０】
この発明は、擬似カップにカップインしたゴルフボールを回収することができるパッティング練習具において、ボールの回収及びパッティング位置へのボール戻しを効率的に行うことができるとともに、パッティング技術向上の観点からも好ましいパッティング練習具を得ることを課題とするものである。
【課題を解決するための手段】
【００１１】
この発明のパッティング練習具は、蓋箱と収納箱とに分割可能な箱体の何れか一方の箱をターゲットボックスとし、他方の箱を打球用ストックケースとし、前記ターゲットボックスは、一方の箱の側壁に開口部を設け、前記開口部に擬似カップとしてのターゲット片を備え、前記打球用ストックケースは、他方の箱の側壁にゴルフボール１個が通過できる幅の開口部を設け、前記開口部側が低くなるように底面を傾斜させて構成する。
この発明において、「ターゲットボックス」とはゴルフのパッティング練習において擬似カップとして用いられる箱体をいい、「打球用ストックケース」とは複数のゴルフボールの収納及び持ち運びに用いられるとともに、パッティング位置におけるゴルフボールの整理及び打球の取り出しに用いられる箱体をいう。
箱体は、複数のゴルフボールを収納できる大きさのものであればその形状、材質は問わない。
ターゲット片は、少なくとも箱体の開口部の幅方向において実際のカップの直径と同サイズの幅の目標として機能するものであればよく、前記箱体の開口部に円形状の片として連設して設けることもできるし半円形状の片として連設して設けることもできる。また、ターゲット片が連設された中敷きを用意し、この中敷きをターゲット片が前記箱体開口部から外部に突出するように前記箱体内に載置して設けることも可能である（請求項４）。あるいは、ターゲット片が連設されたアタッチメントを用意し、このアタッチメントをターゲット片が前記箱体開口部から外部に突出するように前記箱体に取り付けて設けることも可能である（請求項５）。
また、ターゲット片は、箱側に収納可能とするのが好ましい（請求項６）。
【００１２】
ターゲットボックスの底面は、開口部側が高くなるように傾斜させておくと、前記ターゲットボックスに回収されたボールの開口部方向への逆流を防止することができる（請求項２）。傾斜させる手段としては前記開口部側の箱体底面裏側にスペーサーを配設したり、ターゲット片が連設された中敷きを用いる場合には、この中敷きターゲット片連設部近傍裏側にスペーサーや折り曲げ片等を設けることなどが考えられる。
【００１３】
また、開口部の幅は、下端をカップ幅（４．２５インチ）とし、上端にかけて次第に幅広に形成すると、実際のカップにおいてカップ左右縁ぎりぎりからカップインするはずのボールを可及的に開口部両端ではじくことなく箱体に回収することができる（請求項３）。
【００１４】
ターゲットボックスの開口部には、前記開口部をボールが通過したことを告知する告知手段を配設することもできる（請求項５）。告知手段としては、鈴等を備えたゲートをターゲットボックス開口部側に取り付けたり、鈴等を備えたバーを開口部両端の側壁に掛け渡すなどしてボールの通過を聴覚に訴える手段、あるいは、ボールが開口部を通過することで立ち上がる旗を備えたゲートをターゲットボックス開口部側に取り付けるなどしてボールの通過を視覚に訴えたり、音を発生させる手段が考えられる。
【００１５】
打球用ストックケースは、蓋箱と収納箱とに分割可能な箱体において前記ターゲットボックスに用いられた箱とは別の箱を用いるものであればよく、その形状、材質は問わない。
そして、前記箱体側壁に設けられた開口部はゴルフボール１個が通過できる幅を有していればよい。
また、前記開口部側が低くなるように底面を傾斜させる手段としては、前記開口部側とは反対側の底面裏側にスペーサーを設けたり、前記開口部側が低くなるような傾斜面を有する中敷きを前記箱体内に載置すること等が考えられる。
【発明の効果】
【００１６】
この発明によれば、複数のゴルフボールを収納でき、かつ蓋箱と収納箱とに分割可能な箱体の一方の箱の側壁に開口部を設け、この開口部に擬似カップとしてのターゲット片を備えたターゲットボックスとし、他方の箱の側壁にゴルフボール１個が通過できる幅の開口部を設け、前記開口部側が低くなるように底面を傾斜させて打球用ストックケースとしたパッティング練習具を構成したので、パッティング練習時には、ターゲットボックスを目標としてパッティングした打球のうちターゲット片上を通過（擬似カップイン）した打球がターゲットボックス内に回収され、また、回収されたボール等のパッティング練習用ボールを打球用ストックケースに移し替えてパッティング位置まで持ち運ぶことができるだけでなく、打球用ストックケース内にボールを入れた状態でパッティング位置近傍にそのまま載置し、開口部からボールを１球ずつ取り出して常に同じボール位置でパッティングを行うことができる。
【００１７】
また、ターゲットボックスと打球用ストックケースとで一の箱体を構成することができるので、非練習時には箱体にしてゴルフボール等を収納しておくことができ、保管にも便利であり、さらにはゴルフボール販売用の包装箱としても利用することができる。
【００１８】
パッティング練習によるパッティング技術向上の観点からは、ターゲットボックスの側壁開口部には擬似カップとしてのターゲット片を備えたので、実際のカップの見え方をイメージしながら練習することができる。
【００１９】
ターゲットボックスの底面を開口部側が高くなるように傾斜させておけば、ターゲットボックス内に回収されたボールが開口部方向へ逆流することが防止でき、開口部付近でボールが滞ることもなく、順次カップインされる打球を効率的に回収することができる。
【００２０】
ターゲットボックスの開口部の幅は、下端をカップ幅（４．２５インチ）とし、上端にかけて次第に幅広に形成すれば、実際のカップにおいてカップ左右縁ぎりぎりからカップインするはずのボールを開口部両端ではじくことなく箱体に回収することができ、実際のカップを用いた場合のカップイン感覚に近い感覚を得ることができ、パッティング技術向上に資することができる。
【発明を実施するための最良の形態】
【００２１】
図１はこの発明のパッティング練習具のターゲットボックスＡを示す図である。
上面が開放された直方体状の箱体１の一側壁の中央部には開口部２が設けられている。この開口部２はその下端の幅がゴルフ場のグリーンのカップ幅である４．２５インチであり、上端にかけて次第にその幅が広くなるように形成されている。開口部２の左右端の側壁３の傾斜角は小さすぎると通過すべきでないボールが通過しようとすることを阻止することができず、逆に９０°に近すぎると接触した通過すべきボールの通過が阻止される可能性が高まるので、略１０°ないし８０°程度の間で選択するのが適当である。
また、開口部２左右端の側壁３はそれぞれ凹弧状に形成して傾斜させることもできる。
【００２２】
開口部２には擬似カップとしてのターゲット片３が箱体１側に折りたたみ可能に連設されている。ターゲット片４はグリーン上のカップの直径と同じサイズに形成された円形状のシートであり、パッティング練習具が設置される床等との間に極力段差が生じないように薄いシートで構成されている。
また、ターゲット片４には、パッティングの際の目標であるとともにパッティングした打球がカップのどの位置に到達したかを確認するための円形マーク４１が描かれている。この円形マーク４１の外径はカップの直径と同じ大きさとしてあるが、同心円状に複数の輪を描くものとしてもよい。また、複数の輪を描いた場合には、内側の円形マークの中心をターゲット片４の奥側あるいは手前側に偏らせて描いてもよく、この場合には、パッティングの際の微妙な距離感を養うのに有用である。
さらには、ターゲット片４の延長線上のターゲットボックス内部に追加的に円形マークを描くこともでき、強めにパッティングしたい場合の目標とすることもできる。
図中符号４２はターゲット片４を箱体１の開口部に連結するための連結片である。
【００２３】
箱体１の開口部２側の底面裏側には、開口部２側が高くなるように底面を傾斜させるためのスペーサー５が配設されている。スペーサー５の高さは、高すぎるとパッティングを強く打たないと開口部２を通過せず箱体１内にボールが回収されなくなるため、５ｍｍ程度の高さとするのが好ましい。箱体１の開口部２側が高くなるように底面を傾斜させるための手段としてこの実施例においてはスペーサー５を用いたが、この開口部２近傍の底面の一部に折り曲げ可能な折り曲げ片を設け、この折り曲げ片を折り曲げることによってスペーサー５の代わりとしてもよい。
【００２４】
図２はこの発明の打球用ストックケースＢを示す図である。
上面が開放された直方体状の箱体６の一側壁の端部近傍には開口部７が設けられている。この開口部７はその下端の幅がゴルフボールの直径程度の幅となっており、上端にかけて次第にその幅が広くなるように形成されている。具体的には箱体６の端部側の縁は幅広方向に傾斜し、反対の縁は垂直としてある。開口部７の下端から上端にかけて次第に幅広に形成されているのは、ゴルフボールの取り出しやすさを考慮したもので、ボールの重さによって箱体６の底面が撓み、その撓みに伴って開口部７の幅がゴルフボールの直径よりも狭くなってしまうことを防ぐ目的があり、かつ以下に述べるスペーサーにより底面が撓むことにより開口部７に向けた緩傾斜が得られることを目的としている。
箱体６の開口部７が設けられた側壁の開口部７側とは反対側の端部と直交する側壁側の底面裏側には、開口部７側が低くなるように底面を傾斜させるためのスペーサー８が配設されている。スペーサー８の高さは、箱体６を平坦面に載置した場合に、箱体６内のゴルフボールが自然と開口部７側に転がる程度に傾斜されていればよく、５ｍｍ程度の高さとするのが好ましい。
打球用ストックケース底面の傾斜は、スペーサー８を箱体底面に配設して箱体９自体を傾斜させる方法だけでなく、開口部７側に傾斜する中敷きを箱体９内に載置することによっても得ることができる。
【００２５】
図３は、この発明のパッティング練習具を用いたパッティング練習の様子を示す図である。
ターゲットボックスＡを床などの平坦面に載置し、適当な距離をおいてパッティングする位置を決め、その近傍のパッティングの邪魔にならない位置に打球用ストックケースＢを載置する。このとき、ターゲットボックスを簡易的に載置面に固定するために、底面裏側に面ファスナーや両面テープ等の固着具を設けて固定してもよい。
打球用ストックケース内には複数のパッティング練習用ゴルフボールが収納されているので、パッティング位置近傍においてゴルフボールが散乱することはない。
練習者は、打球用ストックケース内のゴルフボールを１球ずつ開口部７からパターなどを用いて取り出し、これをパッティング位置に置いてターゲットボックスのターゲット片４を目標にしてパッティング練習を行う。
打球用ストックケース内のゴルフボールが取り出されると、打球用ストックケースの底面が開口部７側に緩やかに傾斜しているので、自然とゴルフボールが開口部７側に順次転がって移動し、次の打球の取り出しの際には開口部７付近のボールを容易に取り出すことができる。
【００２６】
練習者によって打ち出されたゴルフボールは、ターゲット片４上を通過（擬似カップイン）した後、開口部２を通過して箱体１内に回収される。ターゲットボックスの開口部２側の底面裏側にはスペーサー５が配設されており、ターゲットボックスの底面が開口部２側が高くなるように傾斜しているので、開口部２を通過したゴルフボールはターゲットボックス奥側に転がって順次蓄積されていき、開口部２側に逆流することはない。
【００２７】
図４は、ターゲット片４の縁部分を通過した打球が、開口部２が垂直に形成されている場合と比較して、下端から上端にかけて次第に幅広に形成されている方が開口部２を通過しやすいことを説明する図である。
擬似カップであるターゲット片４の縁部を通過した打球は、開口部２方向に転がっていくが、開口部左右端が垂直（図中破線）に構成されていると、ボールの左右中心部において側壁と接触するのでボールの進行が阻止される。これに対して、開口部左右縁が傾斜縁（図中実線）に構成されていると、打球が同じ位置を通過する場合においても側壁との接触位置がボールの片側（図中では右側）にずれるので、ボールの進行が完全に阻止されることはなく、同じ速度で側壁に接触した場合にはボールが開口部２を通過する可能性が高くなる。
【００２８】
図５は、この発明のターゲットボックスＡと打球用ストックケースＢとを用いて一の箱体を構成した状態を示す図である。
ターゲットボックスとなる箱体１の開口部２に連設されたターゲット片４は、箱体１側に折りたたんで収納され、打球用ストックケースである箱体６の開放面を箱体１の開放面と対向させて箱体１と重ね合わせて一の箱体９が構成されている。箱体１及び箱体６をこのように重ね合わせることで、箱体１に形成された開口部２は箱体６の側壁で閉塞され、また、箱体６の開口部７は箱体１の側壁で閉塞されるので、箱体９は内部に収納空間１０が形成され、ゴルフボール等を収納しておくことが可能となる。
したがって、例えばゴルフボールの１ダース用の包装箱をターゲットボックスと打球用ストックケースとで構成し、ゴルフボール販売の際のインセンティブとして利用することも可能である。また、ターゲットボックス及び打球用ストックケースに広告等の各種印刷を施すこともできる。
【００２９】
図６は、ターゲット片４を半円状に形成した実施例を示す図である。ターゲットボックスの開口部２に連結片を介さずに半円形状のターゲット片４を連設した点以外は上記実施例と同じ構成である。この実施例においても、ターゲット片４は箱体１側に折りたたみ可能であり、打球用ストックケースを重ね合わせて一の箱体を構成することができる。
【００３０】
図７はこの発明のターゲットボックスＡにゲートを付加したものである。ターゲットボックスの開口部２側にゴルフボールが通過できる高さのゲート１１が取り付けてある。そして、ゲート１１の左右中心付近には鈴１２が吊り下げられている。この鈴１２は、打球が開口部２の中心付近を通過した場合にボールと接触して音が鳴るものであり、練習者はその音を聞くことによって打球が擬似カップの中心付近を通過したことを確認できる。
鈴１２はゲート１１の左右中心部に１個配設するものとするだけでなく、ゲート１１の左右中心部付近においてボール幅程度の間隔を介して２個配設すれば、ボールが２個の鈴の間を通過した場合にのみ和音が奏でられるので、練習者はその音を聞くことによって打球の通過位置を確認でき、パッティングの方向性の精度をより高める練習に役立てることができる。
図７においては、ゲート１１がターゲットボックスＡを外側から覆うように構成してあるが、ゲート１１の幅をターゲットボックスＡの内寸幅に合わせてターゲットボックスＡの内側にはめ込むものとしてもよい。
【００３１】
また、鈴の代わりに回転羽根を用いることもできる（図８参照）。ゲート１１の側壁に回転軸１３を取り付け、この回転軸に羽根１４を取り付けて回転羽根１５を構成する。さらに、回転軸１３の一端にはカップインを視覚的にアピールするための旗１６が取り付けられている。
打球が開口部２を通過する際に、打球が回転羽根１５に接触して回転羽根１５がターゲットボックス奥方向に回動するとともに、旗１６がターゲットボックス手前方向に回動して立ち上がり、打球が通過し終わると回転羽根１５及び旗１６は元の位置に戻る。ターゲットボックス内のボールが一杯になると回転羽根１５がターゲットボックス奥方向に回動した状態でボールの進行が止まり、旗１６が立ち上がった状態のままとなる。これにより、ターゲットボックスが一杯になったことを練習者に知らせることができる。このとき、パッティングの練習用ボールの数をターゲットボックスに最大限回収可能なボール数と同数にしておけば、旗１６が立つとすべての打球がカップインしたことが確認でき、練習者の達成感を刺激して練習意欲の向上にも役立てることができる。
前記回転羽根１５にセンサーやスイッチを連動させ、回転羽根が回動したときに音声が発生したり、ランプが点灯したりするようにすることもできる。
【００３２】
図９は、ターゲット片４を連設した中敷きを箱体１内に載置してターゲットボックスＡを構成した実施例を示す図である。
箱体１の開口部２はその下端が底面から６ｍｍ程度の高さの壁部を残した位置に設けられている。そして、箱体１の底面内寸と略同寸法の四角形状の中敷き１７の一側には略円形状のターゲット片４が連設片４２を介して連設されており、この中敷き１７のターゲット片４との連設部左右脇には正面側折り曲げ片１７ａが設けられている。この正面側折り曲げ片１７ａを折り曲げた状態での高さは６ｍｍ程度であり、開口部２下端の高さとほど同じである。
また、中敷き１７の左右側縁のターゲット片連設部近傍には切り込み線１７ｂがそれぞれ設けられ、この切り込み線１７ｂの先端から各切り込み線が設けられた側の側縁のターゲット片連設部反対方向に向かって折り曲げ線１７ｃが設けられ、左右折り曲げ片１７ｄが構成されている。
この正面側折り曲げ片１７ａと左右折り曲げ片１７ｄとをそれぞれ下側に折り曲げた状態で箱体１内に載置すると、中敷きを開口部２から奥側にかけて傾斜させた状態でターゲット片４を開口部２に設けることができる。
この実施例においてもターゲット片４は中敷き１７との連設部において折り曲げることが可能であり、箱体１側に収納することができる。
また、ターゲット片４には円形マーク４１が描かれ、さらに中敷き１７表側のターゲット片４の延長線上の位置には追加的に円形マークが描かれており、強めにパッティングする際の目標とすることができる。
【００３３】
図１０は、ターゲット片４を連設した中敷きを箱体１内に載置してターゲットボックスＡを構成した別の実施例を示す図である。
箱体１には、ゴルフボールを縦３列、横４列に合計１２個収納することができるゴルフボール包装箱（以下、「ダース箱」という。）を用いる。ダース箱の一側壁は隣接する側壁との係止状態が解除されて完全に開口され、隣接する側壁端部には係止片１ａがそれぞれ形成されている。
箱体１の底面内寸と略同寸法の四角形状の中敷き１７の一側には、略円形状のターゲット片４が連設されるとともに、ターゲット片４の外縁に沿って形成されたアーチ部４３が連設されている。アーチ部４３の基端部（中敷き１７との連設部）近傍には縦方向の切り込み４３ａが設けてあり、アーチ部４３を引き起こすように折り曲げて箱体１に中敷き１７を載置し、箱体側壁の係止片１ａをそれぞれこの切り込み４３ａに差し込み、箱体１と中敷き１７とを着脱可能に固定してある。
中敷き１７のターゲット片連設部近傍には折り曲げ片１７ｅが２カ所形成されており、この折り曲げ片１７ｅを箱体１側に折り曲げた状態で中敷き１７を箱体１内に載置することで、開口部付近が高くなるように中敷き１７を傾斜させている。このとき、ボールの重さで折り曲げ片１７ｆが潰れるなどしても、アーチ部４３の切り込み４３ａに箱体側壁の係止片１ａを差し込んで固定してあるので、アーチ部４と連設した中敷き１７の落ち込みは可及的に防止され、中敷き１７の傾斜がなくなってしまうことはない。
図中符号１７ｆのように、回収されたゴルフボールの逆流を防止するための逆流防止片を設けてもよい。
この実施例においてもターゲット片４はアーチ部４３とともに中敷き１７との連設部において折り曲げることが可能であり、箱体１側に収納することができる（図１１参照）。
また、隣接する側壁との係止が解除されていた側壁は切除されてはいないのでこれを元に戻すことによって、保管時には周壁を備えた箱体とすることができる。
【００３４】
図１２は、ターゲット片４が連設されたアタッチメント１８を箱体１の一側に取り付けてターゲットボックスＡを構成した実施例である。
箱体１にはゴルフボール包装用のダース箱を用い、アタッチメント１８にはゴルフボール３個を横一列に収納するゴルフボール用包装箱を用いる。
アタッチメント１８には、横置きにした状態において、略半円形状のターゲット片４が底面１８ａに連設して設けられている。このターゲット片４は、正面側側壁１８ｂから上面１８ｃにかけて円弧状に連続して切り開いて形成されている。
アタッチメントの背面側側壁１８ｄは、上下方向略中心位置において上下に切り開かれることによって上下片を残しつつ開口されている。これにより、アタッチメント１８の正面側１８ｂと背面側１８ｄとが貫通され、ボールの通過が可能となる。また、アタッチメントの背面側の上片が適度に下方に撓んでいるために、逆流してきたボールがこの上片に接触してボールの逆流を防止することができる。また、アタッチメントの背面側側壁の開口は、背面側全体に亘って形成しておいてもよいが、パッティングの精度をより高める練習をしたい場合には、例えば背面側側壁の左右中心位置に略ゴルフボール１個大の開口部とする等してその開口幅を狭く形成し、ターゲットボックスへのボールの通過を制限してもよい。
アタッチメントの底面１８ａには、ターゲット片４を開いた状態でこのターゲット片４と連続して円形を構成する曲線が描かれている。このターゲット片４と底面１８ａに描かれた曲線とで構成される円形の直径はゴルフ場のカップの直径と同サイズである。また、この円形の内側には、他の実施例同様、円形リング４１が描かれており、パッティングの際の目標として、あるいは打球の到達位置の確認などに利用することができる。
このアタッチメント１８を、ターゲット片４が箱体１開口部から外側に突出するようにして一側壁が開口された箱体１の開口側にはめ込むことで、ターゲットボックスＡを構成する。アタッチメント１８を箱体１にはめ込む際には、例えば、アタッチメント１８の左右壁に隙間を設け、箱体１の側壁の一部をこの左右壁に挿入して固定したり、あるいは箱体１の底面にスリットを設け、このスリットにアタッチメント背面側１８ｄの下片を挿入して固定したり、その他両面テープ等の固定部材を用いて固定しておくと、打球がアタッチメント１８に接触した際にアタッチメントの位置がずれてしまうのを防止することができる。
【産業上の利用可能性】
【００３５】
この発明は、箱体を利用したパッティング練習具に関するものであり、産業上の利用可能性を有するものである。
【図面の簡単な説明】
【００３６】
【図１】この発明のパッティング練習具のターゲットボックスを示す図
【図２】同じく打球用ストックケースを示す図
【図３】同じくパッティング練習の様子を示す図
【図４】同じくターゲットボックスの開口部端部をボールが通過しやすいことを説明する図
【図５】同じくターゲットボックスと打球用ストックケースとを用いて一の箱体を構成した状態を示す図
【図６】ターゲットボックスのターゲット片を半円状に形成した実施例を示す図
【図７】ターゲットボックスに鈴付きのゲートを付加した実施例を示す図
【図８】ターゲットボックスに回転羽根付きのゲートを付加した実施例を示す図
【図９】ターゲット片を備えた中敷きを用いてターゲットボックスを構成する実施例の概要を示す図
【図１０】ターゲット片を備えた中敷きを用いてターゲットボックスを構成する別の実施例の概要を示す図
【図１１】同じくターゲット片を折りたたんで収納した状態を示す図
【図１２】ターゲット片を備えたアタッチメントを用いてターゲットボックスを構成した実施例を示す図
【図１３】同じくアタッチメントの概要を示す図
【符号の説明】
【００３７】
１  箱体（ターゲットボックス）
２  開口部
３  側壁
４  ターゲット片
５  スペーサー
６  箱体（打球用ストックケース）
７  開口部
８  スペーサー
９  箱体
１０  収納空間
１１  ゲート
１２  鈴
１３  回転軸
１４  羽根
１５  回転羽根
１６  旗
１７  中敷き
１７ａ  正面側折り曲げ片
１７ｂ  切り込み線
１７ｃ  折り曲げ線
１７ｄ  左右折り曲げ片
１７ｅ  折り曲げ片
１７ｆ  逆流防止片
１８  アタッチメント
【図１】
2010088600.tif 000003
【図２】
2010088600.tif 000004
【図３】
2010088600.tif 000005
【図４】
2010088600.tif 000006
【図５】
2010088600.tif 000007
【図６】
2010088600.tif 000008
【図７】
2010088600.tif 000009
【図８】
2010088600.tif 000010
【図９】
2010088600.tif 000011
【図１０】
2010088600.tif 000012
【図１１】
2010088600.tif 000013
【図１２】
2010088600.tif 000014
【図１３】
2010088600.tif 000015